(57)【要約】【課題】  極めて容易にかつ破けるような不具合なくティッシュペーパを補充して、ティッシュペーパを携帯可能とする。【解決手段】  布等の柔軟なシート状の材料からなる上面部２及び下面部の互いの周囲を連結し、内部の収納空間内にティッシュペーパＰが収納可能でティッシュペーパＰよりも僅かに大きな長方形の平面外形を有する携帯用のティッシュケース１を構成する。上面部２における幅方向の中央に、長手方向へわたって取り出しスリット４を形成する。取り出しスリット４の両端近傍に、取り出しスリット４の縁部を互いに係脱させる開閉部５を設ける。開閉部５同士の間隔をティッシュペーパＰの長さ寸法よりも小さくする。【選択図】      図１
2005313993.tif 000002
【特許請求の範囲】
【発明の詳細な説明】
【技術分野】
【０００１】  本発明は、ティッシュペーパの補充が可能な携帯用のティッシュケースに関するものである。
【背景技術】
【０００２】  ティッシュペーパは、厚紙から形成されたボックスに収納され、そのボックスの取り出し口から一枚ずつ引き出すものが一般的である。
ところで、この種のボックスに収納されたティッシュペーパは、携帯性が良くないため、通常は、ビニール等の収納袋に収納されたポケットティッシュが携帯用として用いられている。
しかしながら、この種のポケットティッシュは、ティッシュペーパ自体が小さく、しかも収納枚数も少ないため、外出時に不足してしまう不具合があった。
このため、家庭用のボックスタイプのティッシュペーパを、側部に形成された補充口から補充し、上面に形成された取り出し口から取り出すティッシュケースが考えられている（例えば、特許文献１参照）。
【特許文献１】  特開２００３−２２６３８０号公報
【発明の開示】
【発明が解決しようとする課題】
【０００３】  ところで、上記のティッシュケースは、ティッシュペーパを補充する度に、補充口のファスナをスライドさせて開閉させなければならず、使い勝手が悪かった。
しかも、ティッシュペーパは、非常に柔らかいため、側部の補充口からティッシュペーパをスライドさせて補充するのは極めて困難であり、ケース内部でティッシュペーパが折れ曲がったりして、上面側の取り出し口から円滑に取り出せないこともあった。
さらには、補充口に設けられたファスナは金属あるいは硬質プラスチックから形成されているため、このファスナにティッシュペーパが引っかかって破けてしまい、ティッシュペーパ自体が無駄になるばかりか、破けたティッシュペーパが散らばってしまうという問題もあった。
ここで、ケースの上面に形成された取り出し口からティッシュペーパを補充することも考えられるが、この取り出し口は、補充したティッシュペーパが飛び出すことがないように、また、ティッシュペーパを一枚ずつ取り出せるように、ティッシュペーパの長さ寸法よりも小さな寸法に開口されているため、この取り出し口からティッシュペーパを補充することも困難であった。【０００４】  この発明は、上記事情に鑑みてなされたもので、極めて容易にかつ破けるような不具合なくティッシュペーパを補充して、外出時に携帯することが可能なティッシュケースを提供することを目的としている。
【課題を解決するための手段】
【０００５】  上記目的を達成するために、本発明のティッシュケースは、互いの周囲が連結されたシート状の上面部及び下面部を有し、内部に形成された収納空間内にティッシュペーパを収納可能な携帯用のティッシュケースであって、ティッシュペーパよりも僅かに大きな長方形の平面外形を有し、上面部における幅方向の中央に、長手方向へわたって取り出しスリットが形成され、取り出しスリットの両端近傍に、取り出しスリットの縁部を互いに係脱させる開閉部を備え、これら開閉部同士の間隔がティッシュペーパの長さ寸法よりも小さくされていることを特徴とする。【０００６】  さらに、上面部及び下面部が、布から形成されていることが望ましい。
また、開閉部は、係止部と係止部に係止可能な環状の環状紐とからなることが好ましい。【０００７】  また、開閉部は、互いに係脱可能な係止凸部及び係止凹部を有する一対の係止ボタンからなることが望ましい。
さらに、開閉部は、互いに着脱可能な布ファスナからなることが好ましい。
また、開閉部は、互いに緊結可能な紐からなることが好ましい。
【発明の効果】
【０００８】  本発明のティッシュケースによれば、開閉部による取り出しスリットの縁部の係止状態を解除することにより、取り出しスリットを長手方向へわたって大きく開くことができ、これにより、上面側に形成された取り出しスリットから柔らかいティッシュペーパを無理なく収納空間内へ入れて補充することができる。
また、開閉部同士の間隔がティッシュペーパの長さ寸法よりも小さくされているので、ティッシュペーパの補充後は、開閉部によって取り出しスリットの縁部を互いに係止させることにより、取り出しスリットの長さをティッシュペーパの長さより短くすることができる。
これにより、収納空間内のティッシュペーパの取り出しスリットからの脱落を防止することができるとともに、取り出しスリットから一枚ずつティッシュペーパを取り出すことを可能とすることができる。
【発明を実施するための最良の形態】
【０００９】  以下、本発明を実施するための最良の形態について図面を参照して説明する。
図１は、本発明の実施形態に係るティッシュケースの外観を示す斜視図、図２は、ティッシュケースの構造を示す上面図、図３は、ティッシュケースの内部構造を示す断面図、図４は、ティッシュケースへのティッシュペーパの補充の仕方を示す上面図、図５は、ティッシュケースへのティッシュペーパの補充の仕方を示す断面図である。
図に示すように、ティッシュケース１は、平面視長方形状に形成された上面部２及び下面部３を有し、これら上面部２及び下面部３の周囲が互いに連結されている。このティッシュケース１を構成する上面部２及び下面部３は、例えば、布や合成樹脂などの柔軟なシート材から形成されている。【００１０】  ティッシュケース１は、上面部２及び下面部３の間に、収納空間Ｓを有しており、この収納空間Ｓ内には、積層されたティッシュペーパＰが収納される。
なお、このティッシュケース１の収納空間Ｓ内に収納されるティッシュペーパＰとしては、家庭用のボックスタイプのティッシュペーパが用いられる。したがって、ティッシュケース１は、収納空間Ｓ内に収納されるティッシュペーパＰの外形よりも僅かに大きな外形を有している。【００１１】  上面部２には、その幅方向の中央に、取り出しスリット４が形成されている。この取り出しスリット４は、ティッシュケース１の長手方向にわたって形成されており、その長さ寸法は、収納空間Ｓ内に収納されるティッシュペーパＰの長さ寸法よりも大きくされている。
また、ティッシュケース１の上面における両端近傍には、それぞれ開閉部５を有している。これら開閉部５は、取り出しスリット４の一方の縁部における上面部２に固着された係止部６と、係止部６の対向位置における取り出しスリット４の他方の縁部に設けられた環状紐７とから構成されており、これら係止部６と環状紐７とが互いに係脱可能とされている。【００１２】  係止部６は、上面部２に固着された固着部６ａと、固着部６ａよりも大径の大径部６ｂとを有している。また、環状紐７は、紐材の両端部を上面部２に縫い付けて固着されて中間部が環状にされたものである。
これら開閉部５は、ティッシュケース１の両端から所定寸法だけ内側に設けられており、これら開閉部５の間隔は、ティッシュペーパＰの長さ寸法よりも小さくされている。【００１３】  そして、この開閉部５の環状紐７を係止部６に係止させることにより、取り出しスリット４は、開閉部５よりも外側が閉じられ、ティッシュペーパＰの長さ寸法よりも小さくされる。
これにより、収納空間Ｓ内のティッシュペーパＰの取り出しスリット４からの脱落が防止されるとともに、取り出しスリット４から一枚ずつティッシュペーパＰを取り出すことが可能とされる。【００１４】  次に、上記構造のティッシュケース１における収納空間ＳへのティッシュペーパＰの補充の仕方について説明する。
ティッシュケース１における収納空間ＳへティッシュペーパＰを補充する場合は、まず、それぞれの開閉部５の環状紐７を係止部６から外し、これら係止部６と環状紐７との係止状態を解除する。
このようにすると、閉鎖されていた取り出しスリット４の両端部分の閉鎖状態が解除され、取り出しスリット４が、その長手方向へわたって開口可能とされる。【００１５】  次いで、取り出しスリット４の縁部を互いに離間する方向へ引っ張る。このようにすると、長手方向へわたって開口可能とされた取り出しスリット４が大きく開かれる。
この状態において、家庭用のボックスタイプの適量のティッシュペーパＰを、取り出しスリット４から収納空間Ｓ内に入れる。
このとき、取り出しスリット４は、長手方向へわたって大きく開かれているので、ティッシュペーパＰを無理なく収納空間Ｓ内へ入れることができる。
その後、それぞれの開閉部５の環状紐７を係止部６に引っかけ、これら係止部６と環状紐７とを係止させ、ティッシュペーパＰの補充を完了させる。【００１６】  以上、説明したように、上記実施形態に係るティッシュケース１によれば、開閉部５の環状紐７を係止部６から外し、これら係止部６と環状紐７との係止状態を解除することにより、取り出しスリット４を長手方向へわたって大きく開くことができ、これにより、上面側に形成された取り出しスリット４から柔らかいティッシュペーパＰを無理なく収納空間Ｓ内へ入れて補充することができる。
また、開閉部５同士の間隔がティッシュペーパＰの長さ寸法よりも小さくされているので、ティッシュペーパＰの補充後は、開閉部５によって取り出しスリット４の縁部を互いに係止させることにより、取り出しスリット４の長さをティッシュペーパＰの長さより短くすることができる。
これにより、収納空間Ｓ内のティッシュペーパＰの取り出しスリット４からの脱落を防止することができるとともに、取り出しスリット４から一枚ずつティッシュペーパＰを取り出すことを可能とすることができる。【００１７】  また、ティッシュペーパＰの補充口にもなる取り出しスリット４は、ファスナが設けられていないので、ティッシュペーパＰの補充時にティッシュペーパＰを引っかけて破いて無駄にしたり、破けたティッシュペーパを散らばらせるような不具合もなくすことができる。【００１８】  また、上面部２及び下面部３を、布から形成することにより、柔軟性を持たせて携帯の容易化を図ることができる。
しかも、開閉部５が、係止部６とこの係止部６に係止可能な環状の環状紐７とからなるので、ティッシュペーパＰの補充時における開閉部５の係脱を極めて容易に行うことができ、補充作業の容易化を図ることができる。【００１９】  なお、開閉部５としては、係止部６及び環状紐７に限定されない。
図６から図８は、それぞれ開閉部５の他の例を示すもので、図６に示す開閉部５は、係止凸部１１ａを有するボタン１１と、この係止凸部１１ａが係脱可能な図示しない係止凹部を有するボタン１２とからなるものである。
また、図７に示す開閉部５は、互いに着脱可能な布ファスナ１３からなるものであり、さらに、図８に示す開口部５は、互いに緊結可能な紐１４からなるものである。
そして、図６から図８に示す開閉機構５の場合も、ティッシュペーパＰの補充時における開閉部５の係脱を極めて容易に行うことができ、補充作業の容易化を図ることができる。
【図面の簡単な説明】
【００２０】
【図１】  本発明の実施形態に係るティッシュケースの外観を示す斜視図である。
【図２】  ティッシュケースの構造を示す上面図である。
【図３】  ティッシュケースの内部構造を示す断面図である。
【図４】  ティッシュケースへのティッシュペーパの補充の仕方を示す上面図である。
【図５】  ティッシュケースへのティッシュペーパの補充の仕方を示す断面図である。
【図６】  開閉部の他の例を示す断面図である。
【図７】  開閉部の他の例を示す断面図である。
【図８】  開閉部の他の例を示す断面図である。
【符号の説明】
【００２１】  １  ティッシュケース
２  上面部
３  下面部
４  取り出しスリット
５  開閉部
６  係止部
７  環状紐
１１、１２  係止ボタン
１１ａ  係止凸部
１３  布ファスナ
１４  紐
Ｐ  ティッシュペーパ
Ｓ  収納空間
【図１】
2005313993.tif 000003
【図２】
2005313993.tif 000004
【図３】
2005313993.tif 000005
【図４】
2005313993.tif 000006
【図５】
2005313993.tif 000007
【図６】
2005313993.tif 000008
【図７】
2005313993.tif 000009
【図８】
2005313993.tif 000010
【手続補正書】
【提出日】平成16年7月16日(2004.7.16)
【手続補正１】
【補正対象書類名】特許請求の範囲
【補正対象項目名】全文
【補正方法】変更
【補正の内容】
【特許請求の範囲】
【請求項１】
互いの周囲が連結されたシート状の上面部及び下面部を有し、内部に形成された収納空間内にティッシュペーパを収納可能な携帯用のティッシュケースであって、
前記ティッシュペーパよりも僅かに大きな長方形の平面外形を有し、前記上面部における幅方向の中央に、長手方向へわたって取り出しスリットが形成され、前記取り出しスリットの両端近傍に、前記取り出しスリットの縁部を互いに係脱させる開閉部を備え、これら開閉部同士の間隔が前記ティッシュペーパの長さ寸法よりも小さくされていることを特徴とするティッシュケース。
【請求項２】
前記上面部及び下面部が、布から形成されていることを特徴とする請求項１に記載のティッシュケース。
【請求項３】
前記開閉部は、係止部と該係止部に係止可能な環状の環状紐とからなることを特徴とする請求項１または請求項２に記載のティッシュケース。
【請求項４】
前記開閉部は、互いに係脱可能な係止凸部及び係止凹部を有する一対の係止ボタンからなることを特徴とする請求項１または請求項２に記載のティッシュケース。
【請求項５】
前記開閉部は、互いに着脱可能な布ファスナからなることを特徴とする請求項１または請求項２に記載のティッシュケース。
【請求項６】
前記開閉部は、互いに緊結可能な紐からなることを特徴とする請求項１または請求項２に記載のティッシュケース。